(57)【要約】【課題】室内の湿度変動を抑えながら室内を換気することができる、換気システムを提供する。【解決手段】排気用のダクト１２を流れる空気と給気用のダクト１１を流れる空気の一方から吸湿し、吸湿した湿分をもう一方に放湿する吸放湿装置１５が備えられている。【選択図】      図１
2006084152.tif 000002
【特許請求の範囲】
【請求項１】
室内の吸込み口と室外への排気口とが排気通路で連絡され、室外からの給気口と室内の吹出し口とが給気通路で連絡され、ファンの駆動により、室内が換気されるようになされた換気システムにおいて、
排気通路を流れる空気と給気通路を流れる空気の一方から吸湿し、吸湿した湿分をもう一方に放湿する吸放湿装置が備えられていることを特徴とする調湿機能付き換気システム。
【請求項２】
排気通路を流れる空気と給気通路を流れる空気とを熱交換させる熱交換器が備えられている請求項１に記載の調湿機能付き換気システム。
【発明の詳細な説明】
【技術分野】
【０００１】
本発明は、調湿機能付き換気システムに関する。
【背景技術】
【０００２】
従来より、種々の換気システムが提供されているが、例えば、湿度の低い冬期に、暖房されている室内を換気すると、室内の湿気が外に排出され、乾燥した空気が室内に送り込まれて、室内の湿度を低下させてしまうという問題がある。
【０００３】
特に、室内を加湿器で加湿しながら暖房していたり、室内で鍋料理をしているような場合は、折角の加湿空気が外に排出されてしまう。
【発明の開示】
【発明が解決しようとする課題】
【０００４】
本発明は、上記のような問題点に鑑み、室内の湿度変動を抑えながら室内を換気することができる、換気システムを提供することを課題とする。
【課題を解決するための手段】
【０００５】
上記の課題は、室内の吸込み口と室外への排気口とが排気通路で連絡され、室外からの給気口と室内の吹出し口とが給気通路で連絡され、ファンの駆動により、室内が換気されるようになされた換気システムにおいて、
排気通路を流れる空気と給気通路を流れる空気の一方から吸湿し、吸湿した湿分をもう一方に放湿する吸放湿装置が備えられていることを特徴とする調湿機能付き換気システムによって解決される。
【０００６】
この換気システムでは、例えば、湿度の低い冬期に、ファンを駆動して、湿度の高い室内の換気を行うと、吸放湿装置が、排気通路を通る室内の高湿度空気から吸湿し、その湿分を、給気通路を通る外の低湿度空気に放湿し、室内に高湿の新鮮空気が送り込まれ、室内の湿度を低下させることなく、室内を換気することができる。しかも、室内湿度低下防止のための水分補給の必要もないか、少なくてすむ。
【０００７】
また、湿度の高い梅雨期に、ファンを駆動して、除湿中の室内の換気を行うと、吸放湿装置が、給気通路を通る外の高湿度空気から吸湿し、その湿分を、排気通路を通る室内の低湿度空気に放湿し、室内に低湿の新鮮空気が送り込まれ、室内の湿度を上昇させることなく、室内を換気することができる。しかも、室内湿度上昇防止のための水分除去の必要もないか、少なくてすむ。
【０００８】
上記の換気システムにおいて、排気通路を流れる空気と給気通路を流れる空気とを熱交換させる熱交換器が備えられている場合、即ち、換気システムが熱交換形である場合は、換気による室内の温度変動を小さくすることができるだけでなく、湿度変動も小さくすることができ、温湿度の変動の少ない快適な換気を行うことができる。
【発明の効果】
【０００９】
本発明は、以上のとおりのものであるから、室内の湿度変動を抑えながら室内を換気することができ、加湿のための水分補給や除湿のための水分除去の必要もないか少ない。
【発明を実施するための最良の形態】
【００１０】
次に、本発明の実施最良形態を図面に基づいて説明する。
【００１１】
実施形態の換気システムの全体構成を示す図３において、１は換気ユニットであり、該換気ユニット１は、内部に換気用のファン２を備えて天井３の裏に設置され、天井面３に設けられた空気吹出し口４と空気吸込み口５とにダクト６，７で連通接続されると共に、建物の外壁８等に設けられた給気口９と排気口１０とにダクト１１，１２で連通接続され、ファン２を駆動することにより、外気が給気口９と空気吹出し口４を通じて室内１３に取り入れられると共に、室内１３の空気が空気吸込み口５と排気口１０を通じて屋外に排気されて、室内１３が換気されるようになされている。
【００１２】
また、本実施形態では、図１に示すように、換気ユニット１に熱交換器１４が備えられ、外に排気される空気と、室内１３に給気される空気とが熱交換器１４で熱交換をし、換気による室内１３の温度変動が小さく抑えられるようになされている。
【００１３】
そして、上記の熱交換形換気システムにおいて、換気ユニット１と排気口１０及び給気口９とをつなぐダクト１１，１２に吸放湿装置１５が介設され、室内１３に取り入れられる外気と、外に排気される空気とが湿分のやりとりを行うようになされている。
【００１４】
即ち、吸放湿装置１５は、図１に示すように、内部に、炭などからなる円盤状の吸放湿素子１６が備えられると共に、該内部は仕切り１７によって二室１８，１９に仕切られて、吸放湿素子１６の半円部分が第１室１８に、もう一方の半円部分が第２室１９に存在するようになされており、吸放湿素子１６は回転軸２０を中心にモーターなどで回転するようになされている。そして、この吸放湿装置１５は、その第１室１８がダクト１１に介設され、第２室１９がダクト１２に介設されて、換気システムに組み込まれている。
【００１５】
上記の換気システムでは、湿度の低い冬期に、ファン２を駆動し、吸放湿素子１６を回転させて、湿度が高く暖房をしている室内１３の換気を行うと、吸放湿装置１５内の吸放湿素子１６が、ダクト１２を通る室内の高湿度空気から吸湿し、その湿分を、ダクト１１を通る外の低湿度空気に放湿し、室内１３に高湿の新鮮空気が送り込まれ、室内の湿度を低下させることなく、また、熱交換器１４で室内の温度を低下させることなく、室内を換気することができる。また、その換気において、室内湿度低下防止のための水分補給の必要もないか、少なくてすむ。
【００１６】
また、湿度の高い梅雨期には、ファン２を駆動し、吸放湿素子１６を回転させて、除湿中の室内１３の換気を行うと、吸放湿装置１５内の吸放湿素子１６が、ダクト１１を通る外の高湿度空気から吸湿し、その湿分を、ダクト１２を通る室内１３の低湿度空気に放湿し、室内１３に低湿の新鮮空気が送り込まれ、室内１３の湿度を上昇させることなく、室内１３を換気することができる。また、その換気において、室内湿度上昇防止のための水分除去の必要もないか、少なくてすむ。
【００１７】
なお、上記の換気システムにおいて、吸放湿装置１５で吸放湿を行うか否かの切換えを行う切換え手段が備えられ、吸放湿装置１５で吸放湿を行うか否かを選択できるようにしておくのもよい。具体的には例えば、図１に示すように、ダクト１１にバイパス用ダクト２１を接続し、切換えにより、外気が吸放湿装置１５を迂回して給気されるようにしておくのもよい。その場合は、意図に反した吸放湿が行われるのを防ぐことができる。
【００１８】
図２に示す他の実施形態は、換気ユニット１から熱交換器が省略されており、この場合も、室内の湿度変動を抑えながら、室内を換気することができる。
【００１９】
以上に、本発明の実施形態を示したが、本発明はこれに限られるものではなく、発明思想を逸脱しない範囲で各種の変更が可能である。例えば、上記の実施形態では、換気ユニット１と吸放湿装置１５とが別体に備えられている場合を示したが、吸放湿装置１５は換気ユニット１の一部として換気ユニット１に一体的に組み込まれていてもよい。また、上記の実施形態では、吸放湿装置として、円盤回転式の装置を用いた場合を示しているが、その他の吸放湿装置が用いられてもよい。また、吸放湿装置は、ダクト６，７の側に備えさせるようにしてもよい。
【図面の簡単な説明】
【００２０】
【図１】実施形態の換気システムを示す説明図である。
【図２】他の実施形態の換気システムを示す説明図である。
【図３】両実施形態に共通の換気システムの全体構成を示す説明図である。
【符号の説明】
【００２１】
２…ファン
４…吹出し口
５…吸込み口
６，１１…ダクト（給気通路）
７，１２…ダクト（排気通路）
９…給気口
１０…排気口
１３…室内
１４…熱交換器
１５…吸放湿装置
【図１】
2006084152.tif 000003
【図２】
2006084152.tif 000004
【図３】
2006084152.tif 000005